(57)【要約】【課題】本発明の鍵装置は、蓄電部に厚みのある認証キーを用いても、鍵装置全体が厚くなることを防止することができる鍵装置を提供することを目的とする。【解決手段】錠孔を有して回転軸周りに回転可能に取り付けられた貸金庫扉１０の表面に取り付けられ、特定の認証キー２３によって前記錠孔の利用を可能とする鍵装置であって、貸金庫扉１０の表面に、前記錠孔を遮蔽する遮蔽位置と、前記錠孔を露呈する開放位置との間で移動可能に取り付けられる筐体部と、筐体部を前記遮蔽位置から移動可能とさせる開錠機構部と、を備え、認証キー２３は、筐体部のキー挿入部２１３に挿入されるキー本体部２３１と、キー本体部２３１から凸形状をなす蓄電部２３２とを有し、蓄電部２３２が貸金庫扉１０に向かって突出するようにキー本体部２３１側からキー挿入部２１３へ挿入されることを特徴とする。【選択図】図８
2014051776.tif 000002
【特許請求の範囲】
【請求項１】
錠孔を有して所定の回転軸周りに回転可能に取り付けられた貸金庫扉の表面に取り付けられ、特定の認証キーによって前記錠孔の利用を可能とする鍵装置であって、
前記貸金庫扉の表面に、前記錠孔を遮蔽する遮蔽位置と、前記錠孔を露呈する開放位置との間で移動可能に取り付けられる筐体部と、
特定の前記認証キーに対応して、前記筐体部を前記遮蔽位置から移動可能とさせる開錠機構部と、を備え、
前記筐体部は、前記認証キーを挿入するキー挿入部を有し、
前記認証キーは、前記キー挿入部に挿入されるキー本体部と、前記キー本体部から凸形状をなす蓄電部とを有し、前記蓄電部が前記貸金庫扉に向かって突出するように前記キー本体部側から前記キー挿入部へ挿入されることを特徴とする鍵装置。
【請求項２】
前記認証キーが、前記貸金庫扉の表面と前記蓄電部における前記貸金庫扉側の表面とが接するように前記キー挿入部へ挿入されることを特徴とする請求項１の鍵装置。
【請求項３】
前記蓄電部が、前記認証キーが前記キー挿入部に挿入された状態で、前記貸金庫扉の表面に向かって凸形状をなす縁部を有し、
前記貸金庫扉の表面と該縁部における前記貸金庫扉側の表面とが接するように前記キー挿入部へ挿入されることを特徴とする請求項１又は２に記載の鍵装置。
【発明の詳細な説明】
【技術分野】
【０００１】
本発明は、貸金庫の鍵装置に関する。
【背景技術】
【０００２】
従来、貸金庫は、銀行、信用金庫、証券会社等に設置して利用に供されるものであり、一般に重要書類、印鑑、貴金属等の保管に利用される。銀行等に設置される貸金庫は、一般的に、出入り口が限定された貸金庫室内に多数縦横に配列されて配置されている。このような貸金庫を提供する管理者である銀行等はセキュリティ性、信頼性には万全を期す必要があり、一方、利用者である顧客の立場からはより簡便な手続き、より簡略化された操作で貸金庫を利用できることが好ましい。
【０００３】
一世代前の銀行等に設置された貸金庫は、管理者側の係員が利用者を貸金庫室に案内し立ち合いのもとに貸金庫を開錠するという２組の錠前を有する手動式であった。これは、例えば、銀行では、顧客が所定事項を記入し捺印した開庫依頼書を銀行に提出すると、銀行側では印鑑照合による本人確認の後、係員が顧客を貸金庫室に案内するという方式である。貸金庫には、利用者側により鍵を管理され開錠施錠される利用者錠と、管理者側により鍵を管理され、開錠施錠される管理者錠の２組の錠前が設けられており、管理者及び利用者の両者立ち会いのもとに同時に操作して金庫扉を開け、利用が終わると再度両者立ち会いのもと両者の鍵で貸金庫を施錠するというものである。
【０００４】
しかし、近年保安システムの進歩に合わせて個人のプライバシーを守る考えが強くなってきた点、及び、管理者側にとっての省力化という観点から、貸金庫室内では利用者だけで貸金庫の開錠・施錠を行う半自動式の貸金庫が用いられている。
半自動式の貸金庫は、管理者錠と利用者錠のうち、管理者錠を常時開放とするとともに、管理者錠及び利用者錠の錠穴を鍵装置で遮蔽し、鍵装置を施錠することにより塞いでしまうものである。開錠の際には、書き込み・消去可能な鍵装置用の認証キーが用意され、管理者側からこの認証キーを受けとって登録番号を書き込み、鍵装置に認証キーを差し込むことにより鍵装置を開錠し移動可能として、利用者錠の錠穴を露呈させて、利用者の所有する鍵によって貸金庫を開錠する。用事が済むと貸金庫を施錠すると共に、鍵装置を元の位置にもどして錠孔を遮蔽することにより錠孔を塞ぐことで２重に施錠する。認証キーは管理者側に返却し、管理者側ではこの認証キーに書き込まれた内容を消去して次の使用に備えるようにしているものである。
【０００５】
この半自動式の貸金庫は、利用者の立ち合いや、管理者の手を煩わせることなく、管理者錠及び利用者錠を用いる既存の手動式の貸金庫を改造することにより実現できるメリットがある。このような半自動式の貸金庫に用いられる鍵装置に関する技術としては、様々なものが知られている（例えば、特許文献１参照）。
【０００６】
例えば、特許文献１は、鍵装置が開錠状態にあるときに、もし、認証キーが鍵装置から自由に抜き取れる構造となっていた場合には、利用者が鍵装置の施錠を忘れたまま貸金庫室を退室してしまうという恐れがあり、保安上問題となる。そこで、カード型の認証キーを用いる場合に、簡単な構造でコンパクトな鍵装置においても適応可能なカード保持機構に関する技術が開示されている。
【０００７】
認証キーは、小さな基板が内蔵されており、さらに、これを起動させるために電池も内蔵している蓄電部を有している。しかし、特許文献１に記載されているようなカード型の認証キーでは、電池の容量が小さくなってしまうため、電池の交換が頻繁に必要となり管理者側に手間が生じてしまう。また、異なるタイプの電池を用いて容量を大きくした場合でも交換するための電池の手配等が必要となり手間が生じてしまう。そのため、半自動として管理者側の省力化を図るメリットが半減してしまう。そこで、一般的に、容量を大きくするために、例えば、容量も多く簡単に手に入るボタン電池が使用されている。しかし、ボタン電池を使用する場合のように、電池の容量を大きくしようとすると蓄電部を大きくする必要がある。
【先行技術文献】
【特許文献】
【０００８】
【特許文献１】特開平１１−６２３４１号公報
【発明の概要】
【発明が解決しようとする課題】
【０００９】
ところで、貸金庫に使用される鍵装置は、貸金庫扉の錠孔を隠す目的で設置されるために、一般的に貸金庫扉の表面から突出して設けられている。そのため、使用上邪魔にならないように鍵装置の厚みを可能な限り薄くする必要がある。
【００１０】
しかしながら、蓄電部に厚みがあると、鍵装置本体を薄くしても、認証キーを挿入すると蓄電部が凸になってしまい鍵装置本体を薄くする効果が半減してしまう。
【００１１】
本発明は、上記課題を解決するためになされたものであって、蓄電部に厚みのある認証キーを用いても、鍵装置全体が厚くなることを防止することができる鍵装置を提供するものである。
【課題を解決するための手段】
【００１２】
上記課題を解決するために、本発明は以下の手段を提案している。
本発明の一態様に係る鍵装置は、錠孔を有して所定の回転軸周りに回転可能に取り付けられた貸金庫扉の表面に取り付けられ、特定の認証キーによって前記錠孔の利用を可能とする鍵装置であって、前記貸金庫扉の表面に、前記錠孔を遮蔽する遮蔽位置と、前記錠孔を露呈する開放位置との間で移動可能に取り付けられる筐体部と、特定の前記認証キーに対応して、前記筐体部を前記遮蔽位置から移動可能とさせる開錠機構部と、を備え、前記筐体部は、前記認証キーを挿入するキー挿入部を有し、前記認証キーは、前記キー挿入部に挿入されるキー本体部と、前記キー本体部から凸形状をなす蓄電部とを有し、前記蓄電部が前記貸金庫扉に向かって突出するように前記キー本体部側から前記キー挿入部へ挿入されることを特徴とする。
【００１３】
このような構成によれば、凸形状をなす蓄電部を有する認証キーが、キー挿入部に挿入される場合に、蓄電部はキー本体部から貸金庫扉に向かって突出しているため、キー本体部よりも貸金庫扉の前面に突出することがない。そのため、筐体部に挿入された認証キーの蓄電部が、筐体部よりも前面に突出することがなく鍵装置が厚くなることを防止することが可能となる。
【００１４】
また、本発明の他の態様に係る鍵装置は、前記認証キーが、前記貸金庫扉の表面と前記蓄電部における前記貸金庫扉側の表面とが接するように前記キー挿入部へ挿入されることを特徴とする。
【００１５】
このような構成によれば、認証キーがキー挿入部へ挿入される際に、蓄電部が貸金庫扉の表面と接しながら挿入されることで、認証キーが傾かないように貸金庫扉の表面で押さえることができる。これにより、容易に認証キーをキー挿入部へと挿入することが可能となる。
【００１６】
さらに、本発明の他の態様に係る鍵装置は、前記蓄電部が、前記認証キーが前記キー挿入部に挿入された状態で、前記貸金庫扉の表面に向かって凸形状をなす縁部を有し、前記貸金庫扉の表面と該縁部における前記貸金庫扉側の表面とが接するように前記キー挿入部へ挿入されることを特徴とする。
【００１７】
このような構成によれば、蓄電部の大きさに係らず、認証キーがキー挿入部へ挿入される際に、縁部が貸金庫扉の表面と接しながら挿入されることで、認証キーが傾かないように貸金庫扉の表面で押さえることができる。そのため、容易に認証キーをキー挿入部へと挿入することが可能な鍵装置を認証キーや筐体部の形状に係らず縁部を形成することができる。
【発明の効果】
【００１８】
本発明の鍵装置によれば、認証キーが挿入された際に、蓄電部をキー本体部よりも貸金庫扉の前面に突出することがないため、蓄電部に厚みのある認証キーを用いても、鍵装置が厚くなることを防止することができる。
【図面の簡単な説明】
【００１９】
【図１】本発明の実施形態に係る鍵装置が取り付けられた貸金庫を設置した貸金庫室の壁面の斜視図である。
【図２】本発明の実施形態に係る鍵装置の装置本体の外観図である。
【図３】本発明の実施形態に係る鍵装置の認証キーの外観図である。
【図４】本発明の実施形態に係る鍵装置の貸金庫へ取り付け位置を説明する模式図で、同図（ａ）は施錠位置における外観図、同図（ｂ）は施錠位置における横断面図である。
【図５】本発明の実施形態に係る鍵装置の貸金庫へ取り付け位置を説明する模式図で、同図（ａ）は開錠位置における外観図、同図（ｂ）は開錠位置における横断面図である。
【図６】本発明の実施形態に係る装置本体への認証キーの取り付け方法を説明する横断面図で同図（ａ）は認証キーの取り付け方向を説明する横断面図、同図（ｂ）は認証キーの挿入方向を説明する横断面図、同図（ｃ）は認証キーが挿入されて開錠された横断面図である。
【図７】本発明の実施形態に係る鍵装置が取り付けられた貸金庫を側方から見た様子を説明する模式図で、同図（ａ）は側方０°から見た模式図、同図（ｂ）は側方１０°から見た模式図、同図（ｃ）は側方３０°から見た模式図である。
【図８】本発明の実施形態に係る鍵装置が取り付けられた貸金庫を開錠する様子を説明する模式図で、同図（ａ）は施錠状態における斜視図、同図（ｂ）は施錠状態の横断面図、同図（ｃ）は開錠状態の横断面図である。
【図９】本発明の変形例に係る鍵装置の装置本体の外観図である。
【発明を実施するための形態】
【００２０】
以下、本発明に係る実施形態について図１から図３を参照して説明する。
図１に示すように、本実施形態の鍵装置２が取り付けられる貸金庫１は、貸金庫室において、複数個が水平方向及び垂直方向に隣接するように規則的に並列して壁面に埋め込まれて設置されている。
【００２１】
貸金庫１は、直方体状をなし、水平方向右側（図１紙面右側）の端部に蝶番１０３を配置した貸金庫扉１０を壁面側の一面に有している。貸金庫扉１０の表面に管理者錠の錠孔である管理錠孔１０１と、利用者錠の錠孔である利用錠孔１０２とを遮蔽するように鍵装置２が配置されている。
貸金庫扉１０は、平板形状をなす扉本体１０４と、水平方向右側の端部に所定の回転軸である蝶番１０３を有している。鉛直方向に沿って配置された回転軸を有する扉本体１０４は、回転軸周りに回転することにより開閉される。そして、貸金庫１の表面の中心部よりも水平方向左側（図１紙面左側）寄りに管理錠孔１０１が配置され、管理錠孔１０１に対してさらに水平方向左側に並列して利用錠孔１０２が配置されている。
【００２２】
鍵装置２は、貸金庫扉１０の表面に設置される装置本体２０と、装置本体２０を移動可能にする認証キー２３とを有する。
図２に示すように装置本体２０は、装置本体２０の外装部分となる筐体部２１と、筐体部２１の内部に配置される開錠機構部２２とを有する。
【００２３】
筐体部２１は、装置本体２０の外装部分を形成するよう貸金庫扉１０の表面と対向する前面部２１１と、前面部２１１の周囲を囲む側面部とを有する箱形状をなしている。そして、筐体部２１は、前面部２１１の外側の面である外装面２１１ａと、外装面２１１ａ上に配置され識別文字が表示される表示部２１２と、認証キー２３が挿入されるキー挿入部２１３とを有する。さらに、貸金庫扉１０に設置された状態で上部側である側面部には、水平方向の左右両方を指し示すように矢印型の凹形状が形成されている。
外装面２１１ａは、貸金庫扉１０の表面と対向する前面部２１１の外側の面であり、回転軸と直交して、貸金庫扉１０の表面に沿う方向である水平方向両端から中央に向かうにしたがって、貸金庫扉１０の前方に向かって凸形状をなす曲面で形成されている。
【００２４】
表示部２１２は、外装面２１１ａ上に配置され、外装面２１１ａに沿って水平方向両端から中央に向かうにしたがって、前方に向かって凸形状をなす曲面で形成されている。そして、表示部２１２には、鍵装置２の取り付けられた貸金庫１を識別するための識別文字が表示されている。また、表示部２１２は、緩衝部材２１２ａである高分子樹脂で構成されている。
【００２５】
キー挿入部２１３は、外装面２１１ａに対して水平方向右側の側面から貸金庫１の表面と平行な面をなすよう外装面２１１ａより貸金庫扉１０側に凹んで形成される平面部２１３ａを有している。さらに、キー挿入部２１３は、貸金庫扉１０の表面に沿う方向における水平方向の中心側で平面部２１３ａとつながっており、中心に向かうように筐体部２１内へ水平方向に断面矩形状の穴で形成される挿入穴２１３ｂとを有している。そして、キー挿入部２１３は、挿入穴２１３ｂの内部で開錠機構部２２と接続されている。
【００２６】
開錠機構部２２は、筐体部２１の内部に配置され、認証キー２３と対応して動作する基板部２２１と、基板部２２１からの信号によってロックを解除するロック部２２２と、ロック部２２２によって固定されているスライド部２２３とを有している。
基板部２２１は、筐体部２１内の中心付近で挿入穴２１３ｂの内部と接続されており、接続部分に端子を有している。
【００２７】
ロック部２２２は、基板部２２１と接続されるロック部回転軸２２２ａと、一端をロック部回転軸２２２ａと接続されるロック部本体２２２ｂとを有する。
ロック部回転軸２２２ａは、基板部２２１と接続され、水平方向と直角をなす垂直方向に延びる回転軸をなしている。そして、ロック部回転軸２２２ａは、基板部２２１からの信号によって回転可能にされる。
ロック部本体２２２ｂは、一端をロック部回転軸２２２ａと接続され、回転軸と直角方向の断面がＬ字形状をなしている。そして、ロック部回転軸２２２ａが回転可能となることでロック部本体２２２ｂは共に回転する。
【００２８】
スライド部２２３は、筐体部２１に固定されたスライド部レール２２３ａと、貸金庫扉１０に固定されたスライド部本体２２３ｂと有する。
スライド部レール２２３ａは、筐体部２１内部において水平方向に延在して固定されている。
スライド部本体２２３ｂは、貸金庫扉１０に固定されつつ、スライド部レール２２３ａと移動可能に接続されている。そして、スライド部本体２２３ｂは、ロック部本体２２２ｂが挿入されているスライド部孔２２３ｃを有している。
スライド部孔２２３ｃは、施錠時にロック部本体２２２ｂが挿入されている矩形状孔で、開錠時にはロック部本体２２２ｂが回転し抜去される。
【００２９】
図３に示すように認証キー２３は、内部に収容されるキー基板２３ａと、キー基板２３ａを収容する溝を内部に形成する上カバー２３ｂと、ボタン電池２３ｄと上カバー２３ｂと対応してキー基板２３ａとを収容する下カバー２３ｃとから形成されている。それらによって、キー挿入部２１３へ挿入されるキー本体部２３１と、キー本体部２３１から凸形状なす蓄電部２３２と、キー本体部２３１と蓄電部２３２との形成される縁部２３３とを構成している。
キー本体部２３１は、上カバー２３ｂと下カバー２３ｃとが組み合わされて形成される平板形状部分で構成されている。そして、キー本体部２３１は、内部にキー基板２３ａを収容しており、長手方向の一端面に開錠機構部２２と接続されるキー基板２３ａの端子を配置している。
【００３０】
蓄電部２３２は、キー本体部２３１の端子が配置されていない側において、下カバー２３ｃの凸形状なす部分で構成されている。そして、蓄電部２３２は、キー基板２３ａへ電源を供給するボタン電池２３ｄを内部に収容している。
縁部２３３は、上カバー２３ｂにおける端子が配置された側面と対向する蓄電部２３２の側面部分で構成されている。そして、縁部２３３は、蓄電部２３２の凸形状よりもさらに凸形状に突出している。
【００３１】
次に、上記構成の鍵装置２を備えた貸金庫１の作用について図４、５を参照して説明する。
上記構成の鍵装置２を備えた貸金庫１によれば、図４（ａ）に示すように、鍵装置２は、貸金庫扉１０に対してスライド部本体２２３ｂを固定することで、利用錠孔１０２と管理錠孔１０１とを共に遮蔽するように貸金庫扉１０の表面から突出して取り付けられている。
図４（ｂ）に示すように、使用する利用者と対応する特定の認証キー２３をキー挿入部２１３へ挿入し、基板部２２１の端子とキー基板２３ａの端子とが接続されるまでは、ロック部回転軸２２２ａは固定された状態である。即ち、ロック部本体２２２ｂはスライド部孔２２３ｃに挿入された状態で固定されているため、スライド部本体２２３ｂは移動ができない。これによって、装置本体２０は移動できず、利用錠孔１０２と管理錠孔１０１とを遮蔽させている状態である遮蔽位置から移動してしまうことがなく、貸金庫扉１０を開閉することができないようにしている。
【００３２】
一方、図５（ａ）、（ｂ）に示すように、使用する利用者と対応する特定の認証キー２３をキー挿入部２１３に挿入し、基板部２２１の端子とキー基板２３ａの端子とが接続されると、ロック部回転軸２２２ａのロックが外される。これにより、ロック部本体２２２ｂがロック部回転軸２２２ａ周りに回転可能となりスライド部孔２２３ｃから外れ、スライド部本体２２３ｂがスライド部レール２２３ａ上を移動可能となる。スライド部本体２２３ｂは貸金庫扉１０に固定されているため、貸金庫扉１０に対してスライド部レール２２３ａに固定されている筐体部２１が水平方向に移動し、利用錠孔１０２を露呈させている状態である開放位置へ移動する。この際、スライド部レール２２３ａの幅を調整することで、開放位置においても管理錠孔１０１は露呈しないようにしている。これによって、管理錠孔１０１は常に開錠状態としておいても利用者が触れることができず、利用者は利用錠孔１０２のみを使用して貸金庫１を開錠することとなる。
【００３３】
また、上記のような、鍵装置２によれば、図６（ａ）に示すように、水平方向左側から鍵装置２を見た場合には、表示部２１２に表示された識別文字を側方から見ることとなる。表示部２１２が前面に向かって凸形状をなす曲面であることから、表示部２１２の側方からの視認可能な領域が広がる。これによって、識別文字の一部を側方からでも視認でき、鍵装置２に対して向き合った状態である正面視以外での視認性を向上させることができる。
【００３４】
さらに、図６（ｂ）、（ｃ）に示すように、表示部２１２が外装面２１１ａに沿って水平方向の両端から中央に向かうにしたがって前面に向かって凸形状をなす曲面であることで、視認方向が、例えば、側方よりも１０°〜３０°程度わずかに前方である斜め前からでも、表示部２１２を見た際の識別文字の視認可能な領域をさらに広げることができ、視認性をさらに向上させることが可能となる。これにより、多くの貸金庫扉１０があっても、目的とする貸金庫扉１０の位置を容易に見つけることができる。
【００３５】
また、図７（ａ）〜（ｃ）に示すように、鍵装置２の前面部２１１の外側の面である外装面２１１ａは、貸金庫１を開錠して貸金庫扉１０を開放した場合に、蝶番１０３を軸に回転して隣接する貸金庫扉１０に設置された別の装置本体２０と衝突する。しかし、蝶番１０３の回転軸と直交する方向である水平方向の両端から中央に向かうにしたがって前方に向かって凸形状をなす曲面で形成されているため、開放された貸金庫扉１０に設置された鍵装置２と隣接する別の装置本体２０とが曲面同士で接触する。これによって、角と面で接触して、外装面２１１ａ及び外装面２１１ａ上の表示部２１２の傷付きを効果的に防止することができる。
【００３６】
さらに、傷付きを防止するため、識別文字が損傷して視認性が損なわれることもない。  また、貸金庫扉１０を開放した際に、隣接する貸金庫１の鍵装置２以外である利用者自身や利用者の所持品等と接触した場合であっても、曲面で接触することが多くなり接触相手を激しく傷つけることを防止できる。
【００３７】
さらに、前方に凸形状をなす表示部２１２を緩衝部材２１２ａで形成することで、鍵装置２における前方へ最も突出した部分が緩衝部材２１２ａとなり、隣接する鍵装置２や利用者等と緩衝部材２１２ａが初めに接触することとなる。これによって、隣接する鍵装置２や利用者等といった接触相手の傷付きをより効果的に防止することができる。
【００３８】
また、貸金庫扉１０の表面に沿う方向である水平方向両端から中央に向かうにしたがって、貸金庫扉１０の前方に向かって凸形状をなす曲面で形成された外装面２１１a上に表示部が配置されていることで、曲線で構成された流線型の外観を有することとなりデザイン性を向上させることが可能となる。
【００３９】
さらに、図８（ａ）に示すように、認証キー２３がキー挿入部２１３へ挿入される際に、蓄電部２３２は、キー本体部２３１からの凸形状を貸金庫扉１０側に向かって突出させるように装置本体２０と接続される。これにより、キー本体部２３１よりも蓄電部２３２が前面に突出することがない。そのため、筐体部２１に認証キー２３が挿入された状態で、蓄電部２３２が筐体部２１よりも前面に突出することがなく、認証キー２３を挿入したことによって鍵装置２が厚くなることを防止することが可能となる。
【００４０】
また、図８（ｂ）、（ｃ）に示すように、蓄電部２３２が、キー本体部２３１からの凸形状を貸金庫扉１０側に向かって突出させるように装置本体２０と接続されることで、認証キー２３がキー本体部２３１からキー挿入部２１３へ挿入される際に、蓄電部２３２が貸金庫扉１０とキー挿入部２１３との段差を小さくする。これによって、認証キー２３が挿入される際に大きく傾くことがなく、挿入穴２１３ｂに対して平行に挿入することができる。そのため、容易に認証キー２３をキー挿入部２１３へと挿入することが可能となる。
【００４１】
さらに、認証キー２３がキー挿入部２１３へ挿入される際に、縁部２３３を貸金庫扉１０の表面と接するように形成することで、貸金庫扉１０の表面で押さえられながら挿入される。これによって、貸金庫扉１０とキー挿入部２１３との段差を縁部２３３で吸収することができ、認証キー２３が挿入される際に傾くことがなく、挿入穴２１３ｂに対して平行に挿入することができる。そのため、より容易に認証キー２３をキー挿入部２１３へと挿入することが可能となる。
また、縁部２３３が、認証キー２３を挿入する際に貸金庫扉１０と接触するように形成される。これにより、キー本体部２３１や蓄電部２３２の形状や大きさに係らず縁部２３３を形成することができる。
【００４２】
さらに、上部側の側面部に水平方向両端を指し示す矢印形状を形成し、矢印形状の指し示す方向と、鍵装置２の施錠位置から開放位置への移動方向とを一致させる。これによって、開錠・施錠方向を矢印形状によって確認しながら装置本体２０を移動させることができる。即ち、鍵装置２の開錠・施錠方法を視覚的に認識することができ、初めて使用する場合であっても開錠・施錠方法に迷うことなく容易に使用することが可能となる。
また、矢印が凹形状で形成されていることで、装置本体２０を施錠位置から開放位置へ移動させる際に、滑りづらくすることができるため、より容易に使用することが可能となる。
【００４３】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、クレームの範囲によってのみ限定される。
【００４４】
なお、壁面に設置される貸金庫１の数量は利用者数などの必要に応じて異なり、貸金庫１室の大きさ等も考慮して決定されれば良い。
また、貸金庫扉１０の開放方向は本実施形態に限定されるものではなく、例えば、上端に蝶番１０３を有し回転して解放される構造となっていても良い。その際、外装面２１１ａの凸形状をなす曲面も水平方向の両端からではなく、垂直方向の両端から中央に向かうにしたがって形成することが好ましい。
さらに、鍵装置２の移動方向は本実施形態の水平方向に限定されるものではなく、例えば垂直方向であっても良い。
【００４５】
また、表示部２１２の形状は、本実施形態のように外装面２１１ａに沿っていることに限定されるわけではなく、表示部２１２のみが独立して水平方向両端から中央に向かうにしたがって、前方に向かって凸形状をなす曲面を形成していれば良く、例えば、図９に示すように識別文字のみが水平方向両端から中央に向かうにしたがって、前方に向かって凸形状をなす曲面であっても良い。
さらに、表示部２１２は、緩衝部材２１２ａで形成されている必要はなく、別の緩衝部材２１２ａで形成された部品を表示部２１２上に、鍵装置２内で最も凸形状となるよう配置しても良い。
また、緩衝部材２１２ａは高分子樹脂に限られるものではなく、例えばゴム材のような弾性部材であっても良く、傷付き難い材料や傷が目立ちづらい材料であれば良い。
【００４６】
さらに、認証キー２３には、縁部２３３が必ずしも形成されている必要なく、蓄電部２３２によって、貸金庫扉１０とキー挿入部２１３との段差を吸収するようにしてもよい。
【符号の説明】
【００４７】
１…貸金庫  １０…貸金庫扉  １０１…管理錠孔  １０２…利用錠孔  １０３…蝶番  ２…鍵装置  ２０…装置本体  ２１…筐体部  ２２…開錠機構部  ２１１…前面部  ２１２…表示部  ２１３…キー挿入部  ２１１ａ…外装面  ２１２ａ…緩衝部材  ２１３ａ…平面部  ２１３ｂ…挿入穴  ２２１…基板部  ２２２…ロック部  ２２３…スライド部  ２２２ａ…ロック部回転軸  ２２２ｂ…ロック部本体  ２２３ａ…スライド部レール  ２２３ｂ…スライド部本体  ２２３ｃ…スライド部孔  ２３…認証キー  ２３１…キー本体部  ２３２…蓄電部  ２３３…縁部  ２３ａ…キー基板  ２３ｂ…上カバー  ２３ｃ…下カバー  ２３ｄ…ボタン電池
【図１】
2014051776.tif 000003
【図２】
2014051776.tif 000004
【図３】
2014051776.tif 000005
【図４】
2014051776.tif 000006
【図５】
2014051776.tif 000007
【図６】
2014051776.tif 000008
【図７】
2014051776.tif 000009
【図８】
2014051776.tif 000010
【図９】
2014051776.tif 000011